【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
移動局装置が、基地局装置から受信した信号の品質を示す受信品質情報を前記基地局装置へ送信する移動通信システムであって、
前記基地局装置は、
上りリンクデータ送信許可信号に、上りリンクデータを伴わない受信品質情報の送信を指示する情報を含めて前記移動局装置へ送信し、
前記移動局装置は、
前記上りリンクデータ送信許可信号に前記上りリンクデータを伴わない受信品質情報の送信を指示する情報が含まれている場合には、上りリンクデータを伴わずに受信品質情報を前記基地局装置へ送信し、
この時、下りリンクデータに対するＡＣＫまたはＮＡＣＫを送信する必要がある場合には、上りリンクデータを伴わずに受信品質情報とＡＣＫまたはＮＡＣＫとを前記基地局装置へ送信し、
前記上りリンクデータを伴わない受信品質情報の送信を指示する情報は、
受信品質情報の送信を指示する第１の情報および前記上りリンクデータ送信許可信号を構成する第２の情報を用いて表される
ことを特徴とする移動通信システム。
【請求項２】
前記移動局装置は、
前記受信品質情報と前記ＡＣＫまたはＮＡＣＫとを上りリンク共用データチャネルを使用して前記基地局装置へ送信することを特徴とする請求項１に記載の移動通信システム。
【請求項３】
移動局装置が、基地局装置から受信した信号の品質を示す受信品質情報を上りリンク共用データチャネルを使用して前記基地局装置へ送信する移動通信システムであって、
前記基地局装置は、
上りリンクデータ送信許可信号に上りリンクデータを伴わない受信品質情報の送信を指示する情報を含めて前記移動局装置へ送信し、
前記移動局装置は、
前記上りリンクデータ送信許可信号に前記上りリンクデータを伴わない受信品質情報の送信を指示する情報が含まれている場合には、上りリンクデータを伴わずに受信品質情報を前記基地局装置へ送信し、
この時、下りリンクデータに対するＡＣＫまたはＮＡＣＫを送信する必要がある場合には、上りリンクデータを伴わずに受信品質情報とＡＣＫまたはＮＡＣＫとを前記基地局装置へ送信し、
前記上りリンクデータを伴わない受信品質情報の送信を指示する情報は、
受信品質情報の送信を指示する第１の情報および前記上りリンクデータ送信許可信号を構成する第２の情報を用いて表される
ことを特徴とする移動通信システム。
【請求項４】
上りリンクデータ送信許可信号で割り当てられた上りリンク共用データチャネルを使用して、移動局装置が上りリンクデータを基地局装置へ送信する移動通信システムであって、
前記基地局装置は、
前記上りリンクデータ送信許可信号に上りリンクデータを伴わない受信品質情報の送信を指示する情報を含めて前記移動局装置へ送信し、
前記移動局装置は、
前記上りリンクデータ送信許可信号に前記上りリンクデータを伴わない受信品質情報の送信を指示する情報が含まれている場合には、上りリンクデータを伴わずに受信品質情報を前記上りリンク共用データチャネルを使用して前記基地局装置へ送信し、
この時、下りリンクデータに対するＡＣＫまたはＮＡＣＫを送信する必要がある場合には、上りリンクデータを伴わずに受信品質情報とＡＣＫまたはＮＡＣＫとを前記上りリンク共用データチャネルを使用して前記基地局装置へ送信し、
前記上りリンクデータを伴わない受信品質情報の送信を指示する情報は、
受信品質情報の送信を指示する第１の情報および前記上りリンクデータ送信許可信号を構成する第２の情報を用いて表される
ことを特徴とする移動通信システム。
【請求項５】
前記第２の情報は、
ＨＡＲＱリダンダンシーバージョン情報を含むことを特徴とする請求項１から４までのいずれか１項に記載の移動通信システム。
【請求項６】
前記第２の情報は、
ＭＣＳ情報を含むことを特徴とする請求項１から４までのいずれか１項に記載の移動通信システム。
【請求項７】
前記第２の情報は、
トランスポートブロックサイズ情報を含むことを特徴とする請求項１から４までのいずれか１項に記載の移動通信システム。
【請求項８】
移動局装置が、基地局装置から受信した信号の品質を示す受信品質情報を前記基地局装置へ送信する移動通信システムにおける移動局装置であって、
上りリンクデータ送信許可信号を前記基地局装置から受信する手段と、
前記上りリンクデータ送信許可信号に上りリンクデータを伴わない受信品質情報の送信を指示する情報が含まれている場合には、上りリンクデータを伴わずに受信品質情報を前記基地局装置へ送信する手段と、を備え、
前記受信品質情報を前記基地局装置へ送信する手段は、前記上りリンクデータを伴わない受信品質情報の送信を指示する情報に従って、上りリンクデータを伴わずに受信品質情報を送信する時、下りリンクデータに対するＡＣＫまたはＮＡＣＫを送信する必要がある場合には、上りリンクデータを伴わずに受信品質情報とＡＣＫまたはＮＡＣＫとを前記基地局装置へ送信し、
前記上りリンクデータを伴わない受信品質情報の送信を指示する情報は、受信品質情報の送信を指示する第１の情報および前記上りリンクデータ送信許可信号を構成する第２の情報を用いて表される
ことを特徴とする移動局装置。
【請求項９】
前記受信品質情報を前記基地局装置へ送信する手段は、
前記受信品質情報と前記ＡＣＫまたはＮＡＣＫとを上りリンク共用データチャネルを使用して前記基地局装置へ送信する
ことを特徴とする請求項８に記載の移動局装置。
【請求項１０】
移動局装置が、基地局装置から受信した信号の品質を示す受信品質情報を上りリンク共用データチャネルを使用して前記基地局装置へ送信する移動通信システムにおける移動局装置であって、
上りリンクデータ送信許可信号を前記基地局装置から受信する手段と、
前記上りリンクデータ送信許可信号に上りリンクデータを伴わない受信品質情報の送信を指示する情報が含まれている場合には、上りリンクデータを伴わずに受信品質情報を前記基地局装置へ送信する手段と、を備え、
前記受信品質情報を前記基地局装置へ送信する手段は、前記上りリンクデータを伴わない受信品質情報の送信を指示する情報に従って、上りリンクデータを伴わずに受信品質情報を送信する時、下りリンクデータに対するＡＣＫまたはＮＡＣＫを送信する必要がある場合には、上りリンクデータを伴わずに受信品質情報とＡＣＫまたはＮＡＣＫとを前記基地局装置へ送信し、
前記上りリンクデータを伴わない受信品質情報の送信を指示する情報は、受信品質情報の送信を指示する第１の情報および前記上りリンクデータ送信許可信号を構成する第２の情報を用いて表される
ことを特徴とする移動局装置。
【請求項１１】
上りリンクデータ送信許可信号で割り当てられた上りリンク共用データチャネルを使用して、移動局装置が上りリンクデータを基地局装置へ送信する移動通信システムにおける移動局装置であって、
前記上りリンクデータ送信許可信号を前記基地局装置から受信する手段と、
前記上りリンクデータ送信許可信号に上りリンクデータを伴わない受信品質情報の送信を指示する情報が含まれている場合には、上りリンクデータを伴わずに受信品質情報を前記上りリンク共用データチャネルを使用して前記基地局装置へ送信する手段と、を備え、
前記受信品質情報を前記基地局装置へ送信する手段は、前記上りリンクデータを伴わない受信品質情報の送信を指示する情報に従って、上りリンクデータを伴わずに受信品質情報を送信する時、下りリンクデータに対するＡＣＫまたはＮＡＣＫを送信する必要がある場合には、上りリンクデータを伴わずに受信品質情報とＡＣＫまたはＮＡＣＫとを前記上りリンク共用データチャネルを使用して前記基地局装置へ送信し、
前記上りリンクデータを伴わない受信品質情報の送信を指示する情報は、受信品質情報の送信を指示する第１の情報および前記上りリンクデータ送信許可信号を構成する第２の情報を用いて表される
ことを特徴とする移動局装置。
【請求項１２】
前記第２の情報は、
ＨＡＲＱリダンダンシーバージョン情報を含むことを特徴とする請求項８から１１までのいずれか１項に記載の移動局装置。
【請求項１３】
前記第２の情報は、
ＭＣＳ情報を含むことを特徴とする請求項８から１１までのいずれか１項に記載の移動局装置。
【請求項１４】
前記第２の情報は、
トランスポートブロックサイズ情報を含むことを特徴とする請求項８から１１までのいずれか１項に記載の移動局装置。
【請求項１５】
上りリンクデータ送信許可信号で割り当てられた上りリンク共用データチャネルを使用して、移動局装置が上りリンクデータを基地局装置へ送信する移動通信システムにおける移動局装置の通信方法であって、
前記上りリンクデータ送信許可信号を前記基地局装置から受信し、
前記上りリンクデータ送信許可信号に上りリンクデータを伴わない受信品質情報の送信を指示する情報が含まれている場合には、上りリンクデータを伴わずに受信品質情報を前記上りリンク共用データチャネルを使用して前記基地局装置へ送信し、
この時、下りリンクデータに対するＡＣＫまたはＮＡＣＫを送信する必要がある場合には、上りリンクデータを伴わずに受信品質情報とＡＣＫまたはＮＡＣＫとを前記上りリンク共用データチャネルを使用して前記基地局装置へ送信し、
前記上りリンクデータを伴わない受信品質情報の送信を指示する情報は、受信品質情報の送信を指示する第１の情報および前記上りリンクデータ送信許可信号を構成する第２の情報を用いて表される
ことを特徴とする通信方法。